(57)【要約】      （修正有）【課題】排水栓内ヌメリ発生の対処にあたって化学薬品に依るヌメリ取りの方法を脱却し、排水栓本体内のカゴ部、トラップ部、排水管部にわたり重金属イオンの殺菌効果を利用したヌメリ防止装置を提供。【解決手段】既存の排水栓本体内の蓋、カゴ部、トラップ部、排水管部に適合サイズのヌメリ防止用考案品１、２、３、４、５をアッセンブリし、ヌメリ防止効率を上げるようにした。【選択図】図１
0003139968.tif 000002
【実用新案登録請求の範囲】
【請求項１】
排水栓の菊割れ蓋（７）に重金属製ヌメリ防止用リング（１）を設ける。
【請求項２】
排水栓カゴ（８）の底部に重金属製ヌメリ防止用リング（２）を設ける。
【請求項３】
トラップ（９）の上部に重金属製ヌメリ防止用プレート（３）を設ける。
【請求項４】
排水管（１１）の排水入り口に重金属製のヌメリ防止用ブッシュ（４）を設ける。
【請求項５】
排水管（１１）の内部に重金属製ヌメリ防止用コイル（５）を設ける。
【考案の詳細な説明】
【技術分野】
【０００１】  この考案は、排水栓のヌメリを防止する為の装置に関するものである。
【背景技術】
【０００２】  従来のものは、発生したヌメリを取り去る方式をとっており、それに準じて化学薬品を使用しているので、塩素系のものであれば酸性タイプのものが混ざると有害な塩素系ガスが出る危険が伴って来ます。  又、薬品が消耗して量的に減ってくると効力が持続せず、薬品が少々残っているにも係わらずヌメリの発生を観る事がある。
【考案の開示】
【考案が解決しょうとする課題】
【０００３】（イ）  薬品に依る有害な化学反応が起こる場合が有る。
（ロ）  化学薬品を使用している為、水量と水温による消耗量の変動が有り、ヌメリ取りの効果が消耗と伴に減衰する。
（ハ）  ヌメリを観た時点で化学薬品を補足する必要性が発生する。
本考案は、以上のような欠点を無くす為に成されたものである。
【課題を解決するための手段】
【０００４】  発生したヌメリを取り除く化学薬品に頼らないヌメリ防止策を考えた。
（イ）排水栓カゴ（８）と排水栓本体（６）内部のヌメリ防止策として、
菊割れ蓋（７）の内径沿い溝部と排水栓カゴ（８）の底部に重金属製のヌメリ防止用リング（１）と（２）をそれぞれに挿入し、重金属イオンの殺菌効果を利用。
（ロ）トラップ（９）とその周辺のヌメリ防止策として、
トラップ（９）の上部に第２図に示す重金属製のプレート（３）と、排水管（１１）の排水入り口へ第３図に示す重金属製ブッシュ（４）をセット。
プレート（３）は、第２図に示す如く、その外周に沿って、下方に向って突起（１４）を設けており、トラップ（９）の上部面と間隙を持たせ、  又、トラップ（９）との嵌合孔（１３）、Ｕ  型の切り欠き（１５）と多数の排水用流通孔（１２）を設け、排水が淀みなくスムーズに流れる様に考案。
（ハ）排水管（１１）内部のヌメリ防止策として、
排水管（１１）内に第１図に示す重金属製コイル（５）を挿入。コイルの端には取り出しやすくするためフックを設けている。
本考案は以上の構成より成る。
【考案の効果】
【０００５】（イ）本案は使用する水量とか、水温による消耗が無く、ヌメリ防止に対し常時作動し、安定している。
（ロ）買い替えや補足の必要が無く、長期的にみて化学薬品製ヌメリ取りを使用する依りも安価である。
（ハ）洗剤、漂白剤や食材等を流しても塩素ガス等が発生する事は無い。
（ニ）５年間にわたりテスト使用を続けているが、その間、ヌメリを見地する事無く、ヌメリ防止の好成果を得た。
【考案を実施するための最良の形態】
【０００６】（イ）油の付着による油の被膜が形成された時は、重金属イオンの効果が妨げられるので、中性洗剤で洗い流す。
（ロ）封水（１０）に汚れを観た時は、毛染めの使い捨て刷毛等で封水を撹拌し、排水管（１１）を通し、汚れを排出する。
（ハ）一日の終わりに排出栓カゴ（８）内に溜まった生ゴミを除去し、排出栓カゴの目詰まり部分を束子、又は刷毛を使って取り除く。
（ニ）排水栓本体（６）内の底部に食材の汚れが付着し、刷毛で取れない場合、茶渋取用の重曹を封水（１０）内に少し入れ一晩おくと良い。
【図面の簡単な説明】
【０００７】
【図１】第１図  本考案品  ヌメリ防止用リング（１），ヌメリ防止用リング（２），ヌメリ防止用プレート（３），ヌメリ防止用ブッシュ（４）とヌメリ防止用コイル（５）を既存の排水栓にアッセンブリした断面図である。
【図２】第２図  本考案品  プレート（３）の外観斜視図である。
【図３】第３図  本考案品  ブッシュ（４）の外観斜視図である。
【符号の説明】
【０００８】    １．  ヌメリ防止用リング
２．  ヌメリ防止用リング
３．  ヌメリ防止用プレート
４．  ヌメリ防止用ブッシュ
５．  ヌメリ防止用コイル
６．  排水栓本体
７．  菊割れ蓋
８．  排水栓カゴ
９．  トラップ
１０．  封水
１１．  排水管
１２．  排水流通孔
１３．  トラップ用嵌合孔
１４．  突起
１５．  切り欠き
【図１】
0003139968.tif 000003
【図２】
0003139968.tif 000004
【図３】
0003139968.tif 000005
【手続補正書】
【提出日】平成19年9月7日(2007.9.7)
【手続補正１】
【補正対象書類名】実用新案登録請求の範囲
【補正対象項目名】全文
【補正方法】変更
【補正の内容】
【実用新案登録請求の範囲】
【請求項１】
重金属製ヌメリ防止用  内輪
【請求項２】
重金属製ヌメリ防止用  ○リング
【請求項３】
重金属製ヌメリ防止用  プレート
【請求項４】
重金属製ヌメリ防止用  ブッシュ
【請求項５】
重金属製ヌメリ防止用  コイル
【手続補正２】
【補正対象書類名】明細書
【補正対象項目名】０００４
【補正方法】変更
【補正の内容】
【０００４】（イ）考案品  内輪（１）は、菊割れ蓋（７）に適合する様に、素材の弾性を利用したワッパ型を採用しており、又、○リング（２）は、排水栓カゴ（８）の底部の内径に適合するサイズで、内輪（１）と○リング（２）をそれぞれに挿入し、排水栓カゴ（８）と排水栓本体（６）内部のヌメリ発生防止になる。
（ロ）考案品  プレート（３）は、第２図に示す如く、プレートの外周に沿って下方に向かって突起（１４）を設けており、プレート面にトラップ用嵌合孔（１３）、Ｕ型の切り欠き（１５）と多数の排水用流通孔（１２）が有り、排水が淀みなくスムーズに流れる様にしている。又、考案品  ブッシュ（４）は、第３図に示す如く、排水の水足を下げない構造をしている。プレート（３）をトラップ（９）の上部に、ブッシュ（４）を排水管（１１）の排水流入口へセットし、トラップ（９）と  その周辺のヌメリ発生防止になる。
（ハ）考案品  コイル（５）は、螺旋状で、一端には、取り出し易くする為のフックを設けている。排水管（１１）内に挿入、排水管（１１）内部のヌメリ発生防止になる。
【手続補正３】
【補正対象書類名】明細書
【補正対象項目名】０００７
【補正方法】変更
【補正の内容】
【０００７】
【図１】本考案品  ヌメリ防止用  内輪（１）、ヌメリ防止用  ○リング（２）、ヌメリ防止用  プレート（３）、ヌメリ防止用  ブッシュ（４）とヌメリ防止用コイル（５）を既存の排水栓にアッセンブリした断面図である。
【図２】本考案品  プレート（３）の外観斜視図である。
【図３】本考案品  ブッシュ（４）の外観斜視図である。
【手続補正４】
【補正対象書類名】明細書
【補正対象項目名】０００８
【補正方法】変更
【補正の内容】
【０００８】  １．  内輪
２．  ○リング
３．  プレート
４．  ブッシュ
５．  コイル
６．  排水栓本体
７．  菊割れ蓋
８．  排水栓カゴ
９．  トラップ
１０．  封水
１１．  排水管
１２．  排水流通孔
１３．  トラップ用嵌合孔
１４．  突起
１５．  切り欠き
【手続補正書】
【提出日】平成19年11月26日(2007.11.26)
【手続補正１】
【補正対象書類名】実用新案登録請求の範囲
【補正対象項目名】全文
【補正方法】変更
【補正の内容】
【実用新案登録請求の範囲】
【請求項１】
菊割れ蓋に設けた重金属製ヌメリ防止用リング。
【請求項２】
排水栓カゴの底部に設けた重金属製ヌメリ防止用リング。
【請求項３】
トラップ上部に設けた重金属製ヌメリ防止用プレート。
【請求項４】
排水管の排水流入口に設けた重金属製ヌメリ防止用ブッシュ。
【請求項５】
排水管内部に設けた重金属製ヌメリ防止用コイル。
【手続補正２】
【補正対象書類名】明細書
【補正対象項目名】０００４
【補正方法】変更
【補正の内容】
【０００４】  請求項１は、菊割れ蓋に設けた重金属製ヌメリ防止用リングである。
請求項２は、排水栓カゴの底部に設けた重金属製ヌメリ防止用リングである。
請求項３は、トラップ上部に設けた重金属製ヌメリ防止用プレートである。
請求項４は、排水管の排水流入口に設けた重金属製ヌメリ防止用ブッシュである。
請求項５は、排水管内部に設けた重金属製ヌメリ防止用コイルである。
【手続補正３】
【補正対象書類名】明細書
【補正対象項目名】０００６
【補正方法】変更
【補正の内容】
【０００６】（イ）菊割れ蓋（７）に設けた考案品  重金属製リング（１）は、菊割れ蓋（７）の内溝にフイットする様に、素材の弾性を生かしたワッパ型である。
（ロ）排水栓カゴ（８）に設けた考案品  重金属製リング（２）は、排水栓カゴ（８）の底部の内径に適合するサイズで、○リング型である。
（ハ）トラップ（９）上部に設けた考案品  重金属製プレート（３）は、第２図に示す如く、プレートの外周に沿って下方に向かって３カ所に突起（１４）を設けており、トラップとの隙間を保持する。  又、プレート面にトラップ用嵌合孔（１３）、Ｕ型の切り欠き（１５）と多数の排水用流通孔（１２）を設け、排水が淀みなくスムーズに流れる様にしている。
（ニ）排水管（１１）の排水流入口に設けた考案品  重金属製ブッシュ（４）は、第３図に示す如く、くらげの様な形をしており、排水の水足を下げない構造である。
（ホ）排水管（１１）内部に設けた考案品  重金属製コイル（５）は、ヘリカル状で、清掃時に排水管内から取り出し易くする為、その一端にフックを設けている。
本考案は以上の様な構造である。
これを使用するときは、
油の付着による油の被膜が形成された場合、重金属イオンの効果が妨げられるので、中性洗剤で洗い流す。
封水（１０）に汚れを観た時は、毛染め等の使い捨て刷毛で封水を撹拌し、排水管（１１）を通し、汚れを排出する。
一日の終わりに排水栓カゴ（８）内に溜まった生ゴミを除去し、排水栓カゴの目詰まり部分を束子、又は刷毛を使って取り除く。
排水栓本体（６）内の底部に食材の汚れが付着し、刷毛で取れない場合は、茶渋取り用の重曹を封水（１０）内に少し入れ一晩おくと良い。
【手続補正４】
【補正対象書類名】明細書
【補正対象項目名】０００７
【補正方法】変更
【補正の内容】
【０００７】
【第１図】本考案品  リング（１），リング（２），プレート（３），ブッシュ（４），コイル（５）を設けた排水栓の断面図である。
【第２図】本考案品  プレート（３）の外観斜視図である。
【第３図】本考案品  ブッシュ（４）の外観斜視図である。
【手続補正５】
【補正対象書類名】明細書
【補正対象項目名】０００８
【補正方法】変更
【補正の内容】
【０００８】  １．リング
２．リング
３．プレート
４．ブッシュ
５．コイル
６．排水栓本体
７．菊割れ蓋
８．排水栓カゴ
９．トラップ
１０．封水
１１．排水管
１２．排水流通孔
１３．トラップ用嵌合孔
１４．突起
１５．切り欠き